(57)【特許請求の範囲】
【請求項１】
同相及び直交入力ベースバンド信号から、同相及び直交帰還復調信号から直流分を除去した信号をそれぞれ減算する第１及び第２の減算器と、前記同相信号の減算器出力に直流バイアスを付加する加算器と、前記加算器出力の
同相変調信号と前記第２の減算器出力の直交変調信号とで搬送波を変調する直交変調器と、前記直交変調器出力を復調して同相成分と直交成分の帰還復調信号を出力する直交復調器と、前記直交復調器に位相制御された搬送波を供給する移相器とで構成される高周波電力増幅装置において、
前記帰還復調信号の少なくとも一方から変調信号を除去して直流成分を取り出し、該直流成分に基づいて前記移相器を制御するようにしたことを特徴とする高周波電力増幅装置。
【請求項２】
前記帰還復調信号の直交成分から変調信号を除去して直流成分を取り出し、該直流成分が最小となるように前記移相器を制御する位相制御手段を備えたことを特徴とする請求項１記載の高周波電力増幅装置。
【請求項３】
前記帰還復調信号の同相成分から変調信号を除去して直流成分を取り出し、該直流成分が最大となるように前記移相器を制御する位相制御手段を備えたことを特徴とする請求項１記載の高周波電力増幅装置。
【請求項４】
前記帰還復調信号の同相及び直交成分から変調信号を除去してそれぞれの直流成分を取り出し、両者の比もしくは差が最大となるように前記移相器を制御する位相制御手段を備えたことを特徴とする請求項１記載の高周波電力増幅装置。
【発明の詳細な説明】
【０００１】
【発明の属する技術分野】
本発明は、高周波電力増幅装置に関し、特に搬送波を有するＳＳＢ変調信号の電力増幅器の非直線歪みを補償するために負帰還制御を行う高周波電力増幅装置に関する。
【０００２】
【従来の技術】
従来、ディジタル携帯電話等のディジタル無線通信において、４値ＰＳＫ（Phase Shift Keying）や１６ＱＡＭ（Quadrature Amplitude Modulation）等の線形変調方式を用いる場合が多くなっており、これらの変調信号を増幅する高周波電力増幅器の線形性への要求が厳しくなっている。そして、この高周波電力増幅器の線形化の手法の１つとして、例えば、電力増幅器の出力の一部を復調してベースバンド信号の形で負帰還を施すことにより非線形歪みを補償するカーティシャンループ型の負帰還増幅器がある。
図３は、従来の擬似的な搬送波成分を付加するタイプのＳＳＢ変調にカーティシャンループ型の負帰還増幅器を適用した例を示す構成概要図である。同図に示すように本負帰還増幅器は、入力ベースバンド信号の同相成分Ｉから帰還ベースバンド信号の同相成分Ｉ’を減算する減算器１ａ及び入力変調信号の直交成分Ｑから帰還ベースバンド信号の直交成分Ｑ’を減算する減算器１ｂと、減算器１ａ、１ｂのそれぞれの出力信号の帯域制限を行うローパスフィルタ２ａ、２ｂと、帯域制限された信号Ｉにバイアス用直流信号を付加する加算器３と、搬送波信号を発生する発振器１０と、前記減算器１ｂの出力信号及び加算器３の出力信号で前記発振器１０が発生する搬送波信号を直交変調する直交変調器４と、直交変調器４の出力の直交変調波を所定の電力に増幅する電力増幅器５と、電力増幅器５の出力を放射するアンテナ６と、電力増幅器５の出力を所定のレベルに減衰させる減衰器７と、発振器１０が発生する搬送波信号の位相を変化させて復調用搬送波を出力する移相器９と、復調用搬送波によって減衰器７から供給された帰還信号を復調し帰還復調信号の同相成分Ｉｘ’及び直交成分Ｑｘ’を出力する直交復調器８と、帰還復調信号Ｉｘ’、Ｑｘ’の直流成分をそれぞれ遮断して帰還ベースバンド信号Ｉ’、Ｑ’を生成するキャパシタ１１ａ、１１ｂとで構成される。
【０００３】
上記構成において、入力端に入力ベースバンド信号Ｉ及びＱが入力すると、減算器１ａ及び２ｂにおいてはベースバンド信号Ｉ及びＱから帰還ベースバンド信号Ｉ’及びＱ’をそれぞれ減算し、得られた変調信号をローパスフィルタ２ａ、２ｂに入力する。ローパスフィルタ２ａ、２ｂではそれぞれの変調信号の帯域制限を行う。前記ローパスフィルタ２ａ出力の変調信号は、加算器３においてバイアス用直流信号Ｃが付加されて変調信号Ｉｘとなり、該変調信号Ｉｘと前記ローパスフィルタ２ｂの出力の変調信号Ｑｘが直交変調器４に入力される。
直交変調器４は、発振器１０が発生する角周波数ω0の搬送波信号を前記変調信号Ｉｘ及びＱｘによって直交変調して、式（１）に示される直交変調によるＳＳＢ信号変調波Ｓを得る。
Ｓ＝ Ix cos ω0t ＋ Qx sin ω0t              （１）
この直交変調波Ｓは、電力増幅器５によって増幅されて送信信号ＳＡとなり、アンテナ６より放射される。
ここでこの例のように、Ｉｘに直流バイアスとしてＣを付加すると直交変調波Ｓに単側帯波のみならず、擬似的な搬送波成分が現われ、この擬似搬送波成分を利用することにより、受信側では同期確立や搬送波再生が容易になることが知られている。
【０００４】
送信信号ＳＡの一部は、図示しないカップラ等で分岐されて減衰器７に入力される。減衰器７は、送信信号ＳＡを所定のレベルに減衰させた帰還信号Ｒを直交復調器８に供給する。
直交復調器８は、発振器１０が発生する角周波数ω0の搬送波信号（直交変調器に供給する信号と同一の信号）を移相器９で位相変化させた復調用搬送波信号によって帰還信号Ｒを復調して、直交変調器４の入力変調信号Ｉｘ及びＱｘに対応する帰還復調信号Ｉｘ’及びＱｘ’を出力する。
帰還復調信号Ｉｘ’及びＱｘ’は、それぞれキャパシタ１１ａ及び１１ｂによって信号中に含まれる直流成分が遮断され、入力ベースバンド信号Ｉ及びＱに対応する帰還ベースバンド信号Ｉ’及びＱ’となって前記減算器１ａ及び１ｂに入力される。
前記帰還ベースバンド信号Ｉ’及びＱ’は、電力増幅器５の非線形歪みにより振幅歪み及び位相歪みを受けているが、図の負帰還増幅器においては、帰還ベースバンド信号Ｉ’及びＱ’を上述のように減算器１ａ、１ｂに供給して、電力増幅器５の非線形歪み成分を負帰還することによって、電力増幅器５の非線形歪みを補償している。
【０００５】
上記電力増幅器５の非線形歪みを補償する原理を、図５に示す増幅部に歪みを有する負帰還増幅回路の原理図で説明する。
同図に示すように、入力Ｘが、歪みｄをもつ増幅率Ａの非線形増幅器で増幅され、その出力Ｙが帰還率βで入力にフィードバックされ、そのループゲインがＧである負帰還増幅回路においては、出力Ｙは、
Ｙ＝（Ｘ−βＹ）ＧＡ＋ｄ
と表わされ、β＝１／Ａとし、また、Ｇ＞＞１を当てはめると、式（２）が得られる。
Ｙ＝ＧＡＸ／（１＋Ｇ）＋ｄ／（１＋Ｇ）
Ｙ≒ＡＸ＋ｄ／Ｇ                        （２）
また、負帰還をかけずに、入力を歪みｄをもつ増幅率Ａの非線形増幅器で増幅したときは、式（３）が得られる。
Ｙ＝ＡＸ＋ｄ                            （３）
即ち、負帰還増幅することによって、出力の歪み成分は１／Ｇに低減されることになる。
【０００６】
上記のような負帰還を行う高周波増幅器では、一般的に負帰還回路のループ長、電力増幅器５の周波数特性等によって、直交変調波Ｓに比べ帰還信号Ｒが遅延し、両者の搬送波の位相が異なってしまう。この位相のずれをΔψとすると、式（１）の直交変調波Ｓに対し、帰還信号Ｒは式（４）のようにあらわされる。
Ｒ＝（ Ix cos Δψ ＋ Qx sinΔψ）cosω0t
+（ Qx cos Δψ− Ix sinΔψ ）sinω0t    （４）
従って、帰還復調信号Ｉｘ’、Ｑｘ’は、入力変調信号Ｉｘ、Ｑｘとは異なった、式（５）、（６）で表わされる信号となり、負帰還増幅器の歪み補償特性に劣化を与えることになる。
Ｉｘ’＝ Ix cos Δψ ＋ Qx sin Δψ            （５）
Ｑｘ’＝ Qx cos Δψ − Ix sinΔψ             （６）
このため、予め移相器８に対し予想される位相のずれ分だけ位相をシフトさせる制御信号を与えて、位相ずれの補正を行っている。
【０００７】
【発明が解決しようとする課題】
しかしながら、上記の位相ずれの補正のために移相器８に与えられる位相シフト量Δφが固定値であると、チャネル変更に伴う搬送波周波数の変動、電力増幅部の温度特性、アンテナ負荷変動等によって位相ずれの量が変化した場合、歪み補償特性が劣化するという問題があった。
本発明は、上記課題を解決するためになされたものであって、 簡単な構成で優れた位相ずれの補正制御を行うことができるカーティシアン型のＳＳＢ高周波電力増幅装置を提供することを目的とする。
【０００８】
【課題を解決するための手段】
上記課題を解決するため、本発明においては、同相及び直交入力ベースバンド信号から、同相及び直交帰還復調信号から直流分を除去した信号をそれぞれ減算する第１及び第２の減算器と、前記同相信号の減算器出力に直流バイアスを付加する加算器と、前記加算器出力の同相変調信号と前記第２の減算器出力の直交変調信号とで搬送波を変調する直交変調器と、前記直交変調器出力を復調して同相成分と直交成分の帰還復調信号を出力する直交復調器と、前記直交復調器に位相制御された搬送波を供給する移相器とで構成される高周波電力増幅装置において、前記帰還復調信号の直交成分から変調信号を除去して直流成分を取り出すフィルタと、該フィルタ出力が最小となるように前記移相器を制御する位相制御回路を備えたことを特徴とする。
【０００９】
【発明の実施の形態】
以下、本発明を図面に示した実施の形態に基づいて説明する。図１は、本発明に係わる搬送波を付加したタイプのＳＳＢ変調波に対する高周波電力増幅装置の実施の一形態例を示す構成概要図である。同図に示すように、本高周波電力増幅装置は入力ベースバンド信号の同相成分Ｉから帰還ベースバンド信号の同相成分Ｉ’を減算する減算器１ａ及び入力変調信号の直交成分Ｑから帰還ベースバンド信号の直交成分Ｑ’を減算する減算器１ｂと、減算器１ａ、１ｂのそれぞれの出力信号の帯域制限を行うローパスフィルタ２ａ、２ｂと、帯域制限された信号Ｉにバイアス用直流信号を付加する加算器３と、搬送波信号を発生する発振器１０と、前記減算器１ｂの出力信号及び加算器３の出力信号で前記発振器１０が発生する搬送波信号を直交変調する直交変調器４と、前記直交変調器４の出力の直交変調波を所定の電力に増幅する電力増幅器５と、電力増幅器５の出力を放射するアンテナ６と、電力増幅器５の出力を所定のレベルに減衰させる減衰器７と、発振器１０が発生する搬送波信号の位相を変化させて復調用搬送波を出力する移相器９と、復調用搬送波によって減衰器７から供給された帰還信号を復調し帰還復調信号の同相成分Ｉｘ’及び直交成分Ｑｘ’を出力する直交復調器８と、帰還復調信号Ｉｘ’及びＱｘ’からそれぞれ直流成分を遮断して帰還ベースバンド信号Ｉ’及びＱ’を生成するキャパシタ１１ａ、１１ｂと、前記帰還復調信号Ｑｘ’からベースバンド信号を除去して直流成分を取り出すローパスフィルタ１２と、該ローパスフィルタ１２の出力に基づいて前記移相器９の動作を制御する位相制御器１３とで構成される。
【００１０】
本発明の高周波電力増幅装置は、従来技術の負帰還増幅器に前記のローパスフィルタ１２と位相制御器１３とを追加した構成であり、この追加した構成部分と移相器９の機能以外は従来技術の負帰還増幅器と同じで、構成各部の符号も同じ番号を付与しており、ここではその機能、動作の説明を省略する。
【００１１】
図１の高周波電力増幅装置において、直交復調器８から出力される帰還復調信号Ｉｘ’及びＱｘ’は、前述のように、一般的に負帰還回路のループ長、電力増幅器５の周波数特性等によって直交変調波Ｓと帰還信号Ｒの搬送波の間に位相ずれΔψを生じるため、入力ベースバンド信号Ｉ及びＱに対応する変調信号の成分Ｉ’及びＱ’のほかに、図４のＩ、Ｑ平面上のバイアス直流分Ｃのベクトル図に示すように、それぞれにバイアス直流分Ｃに対応する直流分Ｃｉ’及びＣｑ’を含んだ信号となっている。そして、 直交変調波Ｓと帰還信号Ｒの搬送波の間に位相ずれ（Δψ）が無い場合は、前記直交成分Ｑｘ’には直流分は現れず、Ｃｑ’＝０である。
本発明は、このＱｘ’に含まれている直流分Ｃｑ’を検出して、 Ｃｑ’を最小にするように位相器９を制御する点が特徴となっている。
【００１２】
本高周波電力増幅装置においては、直交復調器８出力の帰還復調信号Ｑｘ’はローパスフィルタ１２に入力され、変調信号に対応する帰還ベースバンド信号
Ｑ’が除去されて直流分Ｃｑ’が取り出され、位相制御器１３に出力される。前記ローパスフィルタ１２は、例えばベースバンド信号の帯域が３００Ｈｚから３.４ｋＨｚの音声信号の場合は、遮断周波数が３００Ｈｚ以下であればよい。
位相制御器１３は、直流分Ｃｑ’＝０となるように搬送波の位相をシフトさせる制御信号を位相器９に出力し、該制御信号に基づいて位相器９は発振器１０出力の復調用搬送波の位相を変化させることによって位相のずれの補正を行う。
【００１３】
図２は、本発明に係わる搬送波を有するＳＳＢ変調波に対する高周波電力増幅装置の他の実施例を示す構成概要図である。本実施例の高周波電力増幅装置は、同図に示すように、図１の高周波電力増幅装置における帰還復調信号Ｑｘ’からベースバンド信号を除去して直流成分を取り出して移相器９に制御信号を出力するためのローパスフィルタ１２と位相制御器１３の回路を、前記帰還復調信号Ｑｘ’をディジタル信号に変換するＡ／Ｄ変換器１４と、ディジタル化された
Ｑｘ’のうちのベースバンド信号成分を除去して直流成分を取り出すディジタルのローパスフィルタ１５と、該ディジタルローパスフィルタ１５の出力に基づいて移相器９の制御信号を出力する位相制御器１６と、該位相制御器１６の出力信号をアナログ信号に変換して前記移相器９に出力するＤ／Ａ変換器１６とに置き換えた構成になっている。
【００１４】
図２に示される高周波電力増幅装置は、図１の高周波電力増幅装置においてはアナログ処理によって直交復調器８出力の帰還復調信号Ｑｘ’から直流分Ｃｑ’を取り出していたものを、ディジタル処理によって行うものである。その他の構成部分の動作・機能は、図１で説明した動作・機能と同じであるので説明は省略する。
同図の直交復調器８出力の帰還復調信号Ｑｘ’は、前記Ａ／Ｄ変換器１４によってディジタル信号に変換され、ディジタルローパスフィルタ１５によって帰還ベースバンド信号成分が除去され、直流分Ｃｑ’のみが出力される。
該直流分Ｃｑ’は位相制御器１３に入力され、位相制御器１３においては直流分Ｃｑ’＝０となるように復調用搬送波の位相をシフトさせるディジタル制御信号が生成される。該制御信号をＤ／Ａ変換器１７でアナログ信号に変換して位相器９に出力し、入力された制御信号に基づいて位相器９は発振器１０出力の復調用搬送波の位相を変化させることによって位相のずれを補正することができる。本変形実施例の帰還復調信号Ｑｘ’をディジタル信号に変換してディジタルローパスフィルタで除去する回路構成は、アナログ信号で除去する手段に比べ、低コストで信頼性の高い構成であり、より有利な手段であるといえる。
なお、上記の構成に替えて、帰還復調信号Ｑｘ’からアナログのローパスフィルタで直流分を取り出し、その直流成分をＡ／Ｄ変換器でディジタル信号に変換して位相制御回路で制御信号を生成し、この信号をＤ／Ａ変換器でアナログ信号に変換して移相器９に入力するようにしてもよいことは当然のことである。
【００１５】
上記実施例では、帰還復調信号の直流分が最小となるように移相器９を制御しているが、帰還復調信号Ｉｘ’の直流分が最大となるように、或いはＩｘ’とＱｘ’の差（または比）が最大となるように移相器９を制御するといった変形が可能である。
更に、上記の実施例は、ＲＺ−ＳＳＢのような擬似的な搬送波成分を付加するタイプのＳＳＢ変調方式を前提として説明したが、通常の抑圧搬送波ＳＳＢ変調方式であっても、ベースバンド信号に直流分を付加して本発明を実現してもよく、このとき受信側では擬似搬送波成分を無視して、これまで通り単側帯波成分のみを復調すればよいから、受信側には何ら変更を加える必要は生じない。
【００１６】
【発明の効果】
以上説明したように、本発明によれば、直交変調器出力と直交復調器入力の搬送波の間に位相のずれが生じたときに、直交復調器出力の帰還復調信号の直交成分に現れる直流バイアス成分を検出し、これが最小（同相成分に現れる直流バイアス成分を検出を検出する場合は、最大）となるように位相器を制御するように構成したので、簡単な回路構成で、温度特性の変動等で位相回転が変化しても歪み補償特性が劣化することのない高周波電力増幅装置を提供することができる。
【図面の簡単な説明】
【図１】本発明に係る高周波電力増幅装置の実施の一形態例を示す構成概要図。
【図２】本発明に係る高周波電力増幅装置の他の変形実施例を示す構成概要図。
【図３】従来のカーティシアン型の負帰還増幅器の一例を示す構成概要図。
【図４】Ｉ、Ｑ平面上のバイアス直流分Ｃのベクトル図。
【図５】増幅部に比線形歪みを有する負帰還増幅回路の動作原理図。
【符号の説明】
１ａ、１ｂ・・減算器、      ２ａ、２ｂ・・ローパスフィルタ、
３・・加算器、     ４・・直交変調器、     ５・・電力増幅器、
６・・アンテナ、      ７・・減衰器、      ８・・直交復調器、
９・・移相器    １０・・発振器    １１ａ、１１ｂ・・キャパシタ、
（以下、本発明に係わる）
１２・・ローパスフィルタ、    １３・・移相制御器、
１４・・Ａ／Ｄ変換器、    １５・・ディジタルローパスフィルタ、
１６・・移相制御器、      １７・・ Ｄ／Ａ変換器
【図１】
0003869970.tif 000002
【図２】
0003869970.tif 000003
【図３】
0003869970.tif 000004
【図４】
0003869970.tif 000005
【図５】
0003869970.tif 000006